(57)【要約】【課題】単なる洗髪用ブラシの機能に加えて、美容効果や汚れ防止効果等の付加機能を付与し得る洗髪用ブラシを提供する。【解決手段】洗髪用ブラシとして、ブラシ本体１内に水を供給することで炭酸水を生成させ得るようにした炭酸水生成手段２を備え、該炭酸水生成手段２で生成させた炭酸水Ｗ2をブラシ本体１の下面側に設けた放水口１３から放出させ得るように構成しているので、通常の洗髪用ブラシとしての機能のほかに、炭酸水Ｗ2の生成による美容効果や汚れ防止効果等の付加機能を付与し得るようにした。【選択図】  図４
2013180029.tif 000002
【特許請求の範囲】
【請求項１】
ブラシ本体（１）内に水を供給することで炭酸水を生成させ得るようにした炭酸水生成手段（２）を備え、
該炭酸水生成手段（２）で生成させた炭酸水（Ｗ2）をブラシ本体（１）の下面側に設けた放水口（１３，１８）から放出させ得るように構成している、
ことを特徴とする洗髪用ブラシ。
【請求項２】
請求項１において、
上記炭酸水生成手段（２）は、内部に炭酸成分（Ａ）を収納し得る炭酸成分収納容器（２１）と、ブラシ本体（１）内に設けられていて上記炭酸成分収納容器（２１）を出し入れ自在に収容し得る容器収容室（１１）とを備え、
上記容器収容室（１１）は、上記ブラシ本体（１）を上下に貫通する空所（１２）を設けている一方、
上記炭酸成分収納容器（２１）は、外周面に多数の通水穴（２４）を設けたものを使用している、
ことを特徴とする洗髪用ブラシ。
【請求項３】
請求項２において、
上記炭酸成分収納容器（２１）として中空のボール体を採用し、
該ボール体（２１）を上記容器収容室（１１）に収容した状態では上記ボール体（２１）の一部がブラシ本体（１）の下面より下方に突出する状態で保持されるとともに、
上記ボール体（２１）の下方突出部分が頭皮に擦れることで該ボール体（２１）が上記容器収容室（１１）内で転動するようにしている、
ことを特徴とする洗髪用ブラシ。
【請求項４】
請求項１において、
上記炭酸水生成手段（２）は、上記ブラシ本体（１）内に水と炭酸成分（Ａ）とを収容し得るタンク部（１５）で構成し、
該タンク部（１５）の底部に放水通路（１７）を設け、
上記放水通路（１７）部分に該放水通路（１７）を開閉する弁装置（５）を設けているとともに、
上記ブラシ本体（１）に、ブラシ下面を頭皮に押付けることで上記弁装置（５）を開弁させ得る開弁手段（６）を設けている、
ことを特徴とする洗髪用ブラシ。
【請求項５】
請求項４において、
上記開弁手段（６）は、上記放水通路（１７）内において上下動自在及び転動自在に収容された球体（６１）を使用している一方、
該球体（６１）の下部側の一部を上記放水通路（１７）の下端から下方に突出させているとともに、
上記球体（６１）を頭皮に押付けることで該球体（６１）を上動させて上記弁装置（５）を開弁させ得るようにしている、
ことを特徴とする洗髪用ブラシ。
【発明の詳細な説明】
【技術分野】
【０００１】
本願発明は、シャワー水とともに（シャワー水をかけながら）使用される洗髪用ブラシに関するものである。
【背景技術】
【０００２】
近年、炭酸水（水に炭酸ガスが溶解したもの）を肌や頭髪に接触させると美容効果や汚れ除去効果等があることが知られている。即ち、炭酸水で頭皮や頭髪を洗うと、炭酸成分により血行促進作用や汚れ除去作用が発生することが知られている。
【０００３】
尚、炭酸水は、一般に炭酸成分含有物質（代表例として炭酸水素ナトリウムがある）を水に溶解させることで人口的に生成できる。
【０００４】
ところで、一般的な洗髪用ブラシは、ブラシ本体の下面にブラシ部を設けただけのものである。そして、この種の一般的な洗髪用ブラシは、シャンプー時又はシャワー時（シャンプー洗い流し時）にブラシ本体部分を持ってブラシ部を頭皮に擦り付ける（頭髪を梳く）ようにして使用されるが、単なる洗髪用ブラシとしての機能しかないものである。
【発明の概要】
【発明が解決しようとする課題】
【０００５】
そこで、本願発明は、ブラシ本体部分にシャワー水を通水させることで炭酸水を生成させ得る機能を付加し、該ブラシ本体内で生成させた炭酸水を用いて洗髪することで、頭皮や頭髪に対して美容効果や汚れ除去効果を付与できるようにした洗髪用ブラシを提供することを目的としている。
【課題を解決するための手段】
【０００６】
本願発明は、上記課題を解決するための手段として次の構成を有している。
【０００７】
［本願請求項１の発明］
本願請求項１の発明は、ブラシによる洗髪と同時に炭酸水による美容効果や汚れ除去効果を達成し得るようにした洗髪用ブラシを対象にしたものである。
【０００８】
そして、本願請求項１の洗髪用ブラシは、添付図面に例示するように、ブラシ本体１内に水を供給することで炭酸水Ｗ2を生成させ得るようにした炭酸水生成手段２を備え、該炭酸水生成手段２で生成させた炭酸水Ｗ2をブラシ本体１の下面側に設けた放水口１３（又は１８）から放出させ得るように構成したものである。
【０００９】
尚、本願で使用する洗髪用ブラシのブラシ本体１としては、全体を手で掴める程度の大きさの円形（楕円形も含む）ブラシや柄つきの長方形ブラシ等が採用できる。又、この請求項１の洗髪用ブラシは、図１〜図４に示す第１実施例のものと図５〜図７に示す第２実施例のものとを包含するものである。
【００１０】
請求項１の洗髪用ブラシに適用する炭酸水生成手段２は、ブラシ本体１内に炭酸成分Ａを収容し、該炭酸成分Ａにブラシ本体１の上面側から水をかけることにより、炭酸成分Ａを水に溶解させて炭酸水Ｗ2を生成させるようにしたものである。そして、該炭酸水生成手段２により生成させた炭酸水Ｗ2は、ブラシ本体１の下面側に設けた放水口１３（又は１８）から放出（自然流下）させ得るようになっている。
【００１１】
本願発明で使用する炭酸水生成用の炭酸成分Ａとしては、代表例として炭酸水素ナトリウムがあるが、水を加えることで炭酸ガスを発生して炭酸水を生成し得るものであれば適宜の成分のもの（１種類でも複数種類混合したものでもよい）を使用できる。又、この炭酸成分Ａは、所定大きさのブロック状（又は板状）に成形したものや、粒状に成形したもの等の形態で使用できる。
【００１２】
この請求項１の洗髪用ブラシは、洗髪時にシャワー水Ｗ1とともに使用するものである。即ち、この洗髪用ブラシは、ブラシ本体１部分を手に持ってその下面側のブラシ部１０を頭皮に擦り付けることで洗髪するが、シャンプー後に該シャンプーを洗い流す際にブラシ本体１の上面にもシャワー水Ｗ1をかける。すると、そのシャワー水Ｗ1が炭酸水生成手段２に設けた炭酸成分Ａを濡らすことにより、該炭酸成分Ａから炭酸ガスが発生し、該炭酸ガスが水に溶解して炭酸水Ｗ2を生成するようになる。そして、ブラシ本体１内で生成された炭酸水Ｗ2は、ブラシ本体１の下面側に設けた放水口１３（又は１８）から放出される。
【００１３】
従って、この洗髪用ブラシを使用してシャワー水をかけながら洗髪すると、炭酸水生成手段２で生成される炭酸水Ｗ2が頭髪及び頭皮に接触するので、洗髪と同時に炭酸水Ｗ2による美容効果や汚れ除去効果が期待できる。
【００１４】
［本願請求項２の発明］
本願請求項２の発明は、図１〜図４に示す第１実施例の洗髪用ブラシを対象にしたものである。
【００１５】
そして、この請求項２の発明は、上記請求項１の洗髪用ブラシにおいて、炭酸水生成手段２として、内部に炭酸成分Ａを収納し得る炭酸成分収納容器２１と、ブラシ本体１内に設けられていて炭酸成分収納容器２１を出し入れ自在に収納し得る容器収容室１１とを備えたものを使用している。
【００１６】
容器収容室１１は、ブラシ本体１を上下に貫通する空所１２を設けている。又、この容器収容室１１は、空所１２内に炭酸成分収納容器２１を収容した状態で、該炭酸成分収納容器２１を位置保持できる（炭酸成分収納容器２１が脱落しない）構造となっている。
【００１７】
炭酸成分収納容器２１の形状は、後述の請求項３で特定したボール状（球体）のものが好ましいが、本願請求項２で使用できる炭酸成分収納容器２１としては、球形以外の適宜の形状（例えば直方体や円柱体等）であってもよい。尚、この炭酸成分収納容器２１は、内部に炭酸成分Ａを収容するのに、蓋付きにしたものや半割りにして分離・合体させ得るようにしたものを採用できる。
【００１８】
又、この炭酸成分収納容器２１は、その外周面に多数の通水穴２４を設けたものを使用している。
【００１９】
そして、この請求項２の洗髪用ブラシを使用可能状態にするには、炭酸成分収納容器２１をブラシ本体１から取り外して該収納容器２１内に所定量の炭酸成分Ａを充填し、その炭酸成分入り収納容器２１をブラシ本体１の容器収容室１１内に戻せば、炭酸水生成機能つきの洗髪用ブラシとして使用できる。
【００２０】
又、洗髪時にシャワー水Ｗ1をブラシ本体１の上面からかけると、その一部の水がブラシ本体１の容器収容室１１内に流入するが、その侵入水は炭酸成分収納容器２１の外周面（上面側）に設けている多数の通水穴２４から中空部２３内に侵入し、該中空部２３内の炭酸成分Ａに接触して炭酸水Ｗ2を生成した後、その炭酸水Ｗ2が下面側の通水穴２４からブラシ下方に流出するようになっている（頭髪及び頭皮に注がれる）。
【００２１】
［本願請求項３の発明］
本願請求項３の発明も、図１〜図４に示す第１実施例の洗髪用ブラシを対象にしたものである。
【００２２】
そして、この本願請求項３の発明は、上記請求項２の洗髪用ブラシにおいて、炭酸成分収納容器２１として中空のボール体を採用し、該ボール体２１を容器収容室１１に収容した状態でボール体２１の一部がブラシ本体１の下面より下方に突出する状態で保持されているとともに、ボール体２１の下方突出部分が頭髪・頭皮等にこすれることでボール体２１が容器収容室１１内で転動するようにしていることを特徴としている。
【００２３】
この請求項３の洗髪用ブラシでは、洗髪時に炭酸成分収納容器（ボール体）２１を頭皮に押付けた状態でこすると、該ボール体２１が転動するので、ボール体２１内で炭酸成分Ａが撹拌され、該炭酸成分Ａに対する水の接触作用が促進される。
【００２４】
又、洗髪時に、ボール体２１が頭皮上で転動することにより、頭皮に対してマッサージ機能を付与することができる。
【００２５】
［本願請求項４の発明］
本願請求項４の発明は、図５〜図７に示す第２実施例の洗髪用ブラシを対象にしたものである。
【００２６】
そして、この本願請求項４の発明は、上記請求項１の洗髪用ブラシにおいて、炭酸水生成手段２として、ブラシ本体１内に水と炭酸成分Ａとを収容し得るタンク部１５を設けて構成している。
【００２７】
このタンク部１５は、上部に開閉自在な蓋１６が被覆されるが、該蓋１６を開放することで、タンク部１５内に炭酸成分Ａを収容し得るようになっている。又、タンク部１５の蓋１６には、給水用開口１６ａが形成されていて、ブラシ本体１の上面にシャワー水Ｗ1をかけることで該シャワー水の一部が蓋１６の給水用開口１６ａを通ってタンク部１５内に収容されるようになっている。
【００２８】
他方、この請求項４の洗髪用ブラシでは、タンク部１５の底部に放水通路１７を設け、該放水通路１７部分に該放水通路１７を開閉する弁装置５を設けている。
【００２９】
又、この請求項４の洗髪用ブラシには、ブラシ本体１に、ブラシ下面を頭皮に押付けることで弁装置５を開弁させ得る開弁手段６を設けている。尚、この請求項４における開弁手段６は、ブラシ下面を頭皮に押付けることで弁装置５を開弁させ得るものであれば、適宜の構成のものが採用できる。
【００３０】
この請求項４の洗髪用ブラシは次のようにして使用される。
【００３１】
まず、ブラシ本体１のタンク部１５内に炭酸成分Ａを収容する必要があるが、該炭酸成分Ａをタンク部１５内に収容するには、蓋１６を開いてタンク部１５の底面上に炭酸成分Ａを置き、その後に蓋１６を被せるだけでよい。
【００３２】
そして、炭酸成分Ａ入りの洗髪用ブラシを実際に洗髪用として使用するには、ブラシ本体１の上面側からシャワー水Ｗ1をかける。すると、そのシャワー水Ｗ1の一部が蓋１６の給水用開口１６ａからタンク部１５内に侵入し、その侵入水がタンク部１５内の炭酸成分Ａに接触して炭酸水Ｗ2を生成する（炭酸成分Ａに水が接触すると炭酸ガスが発生し、その炭酸ガスが水に溶解して炭酸水Ｗ2となる）。
【００３３】
タンク部１５内に炭酸水Ｗ2が貯留された状態で（又はシャワー水Ｗ1をかけながら）、ブラシ下面を頭皮に押付けると、開弁手段６が弁装置５を開弁して、タンク部１５内の炭酸水Ｗ2が放水通路１７を通ってブラシ下方（頭皮上）に放出される。
【００３４】
従って、この請求項４の洗髪用ブラシでも、洗髪時（シャワー水使用時）には、炭酸水生成手段２で生成される炭酸水Ｗ2が頭髪及び頭皮に注がれるので、該炭酸水Ｗ2による美容効果や汚れ除去効果を期待できる。
【００３５】
［本願請求項５の発明］
本願請求項５の発明は、上記請求項４の洗髪用ブラシにおいて、開弁手段６は、放水通路１７内において上下動自在及び転動自在に収容された球体６１を使用している一方、該球体６１の下部側の一部を放水通路１７の下端から下方に突出させているとともに、球体６１を頭皮に押付けることで該球体６１が上動して弁装置５を開弁させ得るようにしたものである。
【００３６】
この請求項５の洗髪用ブラシでは、開弁手段６として放水通路１７内で上下動自在及び転動自在な球体６１を使用していることにより、洗髪時に該球体６１を頭皮に押付けることで弁装置５を開弁させ、それに続いて球体６１を頭皮に擦り付けると該球体６１が転動しながら頭皮上を移動するようになる（頭皮に対するマッサージ機能が発生する）。
【発明の効果】
【００３７】
［本願請求項１の発明の効果］
本願請求項１の洗髪用ブラシは、ブラシ本体１内に水（シャワー水）を供給することで炭酸水Ｗ2を生成させ得るようにした炭酸水生成手段２を備え、該炭酸水生成手段２で生成させた炭酸水Ｗ2をブラシ本体１の下面側に設けた放水口１３（又は１８）から放出させ得るように構成したものである。
【００３８】
そして、この請求項１の洗髪用ブラシは、洗髪時に（特にシャンプー後にシャワー水で洗い流す際に）ブラシ本体１の上面にもシャワー水Ｗ1をかけることで、炭酸水生成手段２により炭酸水Ｗ2を生成させることができる。
【００３９】
従って、この請求項１の洗髪用ブラシは、洗髪時（シャワー水使用時）に使用すると、炭酸水生成手段２で生成される炭酸水Ｗ2が頭髪及び頭皮に注がれるので、本来の洗髪機能のほかに炭酸水Ｗ2による美容効果や汚れ除去効果が期待できるという効果がある。
【００４０】
［本願請求項２の発明の効果］
本願請求項２の発明は、上記請求項１の洗髪用ブラシにおいて、炭酸水生成手段２として、ブラシ本体１に、炭酸成分収納容器２１を出し入れ自在に収容でき且つブラシ本体１を上下に貫通する容器収容室１１を設け、炭酸成分収納容器２１として内部の中空部２３に炭酸成分Ａを補給でき且つ外周面に多数の通水穴２４を設けたものを使用している。
【００４１】
そして、この請求項２の洗髪用ブラシでは、炭酸成分収納容器２１内に所定量の炭酸成分Ａを充填し、その炭酸成分入り収納容器２１をブラシ本体１の容器収容室１１内に戻せば、炭酸水生成機能つきの洗髪用ブラシとして使用できる。
【００４２】
従って、この請求項２の洗髪用ブラシでは、上記請求項１の効果に加えて、炭酸水Ｗ2を生成させるための炭酸水生成手段２（特に炭酸成分収納容器２１）の取り扱いが簡便となるとともに、ブラシ本体１の上面側からシャワー水Ｗ1をかけるだけで炭酸水Ｗ2を連続して生成できるという効果がある。
【００４３】
［本願請求項３の発明の効果］
本願請求項３の発明は、請求項２の洗髪用ブラシにおいて、炭酸成分収納容器２１として中空のボール体を採用しているとともに、該ボール体２１が頭髪・頭皮等にこすれることでボール体２１が容器収容室１１内で転動するようにしている。
【００４４】
従って、この請求項３の洗髪用ブラシは、上記請求項２の効果に加えて、洗髪時にボール体２１が回転することでボール体２１内の炭酸成分Ａが撹拌されるので、炭酸成分Ａに対する水の接触作用が促進され、それによって炭酸水生成効率がよくなるという効果がある。又、ボール体２１が頭皮に接触しながら転動するので、該ボール体２１による頭皮に対するマッサージ効果が期待できるという効果もある。
【００４５】
［本願請求項４の発明の効果］
本願請求項４の発明は、請求項１の洗髪用ブラシにおいて、炭酸水生成手段２としてブラシ本体１内に水と炭酸成分Ａとを収容し得るタンク部１５を設けて構成している一方、タンク部１５の底部に放水通路１７を設け、放水通路１７部分に弁装置５を設けるとともに、ブラシ本体１にブラシ下面を頭皮に押付けることで弁装置５を開弁させ得る開弁手段６を設けたものである。
【００４６】
この請求項４の洗髪用ブラシでは、ブラシ本体１の上面側にシャワー水Ｗ1をかけると、そのシャワー水の一部がタンク部１５内に侵入し、その侵入水がタンク部１５内の炭酸成分Ａに接触して炭酸水Ｗ2を生成し、該炭酸水Ｗ2をタンク部１５内に貯留し得る。そして、ブラシ下面を頭皮に押付けると、開弁手段６が弁装置５を開弁して、タンク部１５内の炭酸水Ｗ2が放水通路１７を通ってブラシ下方（頭皮上）に放出されるが、該炭酸水Ｗ2の放出は洗髪時（ブラシ下面を頭皮に押付けたとき）のみに行われる。
【００４７】
従って、この請求項４の洗髪用ブラシでは、上記請求項１の効果に加えて、タンク部１５内で生成した炭酸水Ｗ2の有効利用率を向上させることができるという効果がある。つまり、頭髪や頭皮に接触せずに無駄に流出する炭酸水Ｗ2の量を減らすことができる。
【００４８】
［本願請求項５の発明の効果］
本願請求項５の発明は、上記請求項４の洗髪用ブラシにおいて、開弁手段６に球体６１を使用し、該球体６１を頭皮に押付けることで弁装置５を開弁させ、それに続いて球体６１を頭皮に擦り付けると該球体６１が転動しながら頭皮上を移動するように構成されている。
【００４９】
従って、この請求項５の洗髪用ブラシは、上記請求項４の効果に加えて、開弁手段６となる球体６１が、弁装置５の開弁手段としての機能のほかに頭皮に対してマッサージ効果を付与し得るという効果がある。
【図面の簡単な説明】
【００５０】
【図１】本願第１実施例の洗髪用ブラシの側面図である。
【図２】図１の洗髪用ブラシの平面図である。
【図３】図１の洗髪用ブラシの下面図である。
【図４】図１の洗髪用ブラシの縦断面図（図２のVI−VI断面図）である。
【図５】本願第２実施例の洗髪用ブラシの側面図である。
【図６】図５の洗髪用ブラシの縦断面図（図４相当図）である。
【図７】図６からの状態変化図（開弁状態図）である。
【発明を実施するための形態】
【００５１】
以下、添付の図面を参照して本願の実施例を説明すると、図１〜図４には本願第１実施例の洗髪用ブラシを示し、図５〜図７には本願第２実施例の洗髪用ブラシを示している。尚、図１〜図４に示す第１実施例の洗髪用ブラシは、本願請求項１、２及び３に対応するものであり、図５〜図７に示す第２実施例の洗髪用ブラシは、本願請求項４及び５に対応するものである。
【００５２】
［図１〜図４の第１実施例］
図１〜図４に示す第１実施例の洗髪用ブラシは、プラスチック製で、平面視略楕円形状に成形されたものである。そして、この第１実施例の洗髪用ブラシは、ブラシ本体１の下面側に多数本のブラシ部１０，１０・・を突出させている一方、ブラシ本体１の上面側外周部分に取手（指掛け部）３を設けて構成されている。尚、他の実施例では、本願の洗髪用ブラシとして、平面視円形のブラシや柄つきの長方形ブラシを採用してもよい。
【００５３】
ブラシ本体１の大きさは、手のひらで包み込める程度のものが適当であるが、後述するようにブラシ本体１内に炭酸水生成手段２を設ける関係で、上下厚さをやや厚くしている（例えば２０〜３０mm程度の厚さ）。
【００５４】
ところで、炭酸水（水に炭酸ガスが溶解したもの）で頭皮や頭髪を洗うと、炭酸成分により頭皮に対する血行促進作用や頭皮及び頭髪に対する汚れ除去作用等が発生することが知られている。
【００５５】
そこで、本願発明の洗髪用ブラシは、洗髪用としての機能のほかに、洗髪しながら炭酸水Ｗ2を生成・放出し得る機能を備えたものであるが、図１〜図４に示す第１実施例の洗髪用ブラシは、次のように構成されている。
【００５６】
即ち、この第１実施例の洗髪用ブラシは、ブラシ本体１内に水を供給することで炭酸水Ｗ2（図４参照）を生成させ得るようにした炭酸水生成手段２を備えている。
【００５７】
炭酸水生成手段２は、この第１実施例では、内部に炭酸成分Ａを収納し得る炭酸成分収納容器２１と、ブラシ本体１内に設けられていて炭酸成分収納容器２１を出し入れ自在に収納し得る容器収容室１１とを備えたものを使用している。
【００５８】
この第１実施例では、炭酸成分収納容器２１として内部を中空部２３としたボール体を採用している。尚、この第１実施例の説明では、炭酸成分収納容器２１のことをボール体と表現する。
【００５９】
ボール体２１は、２つの半割り容器２２，２２を分離・合体自在に結合させ得るようにしたものを採用している。このボール体２１の大きさは、特に限定するものではないが、例えば直径が３０〜３５mm程度のものが採用できる。
【００６０】
この第１実施例では、ボール体２１内に収納される炭酸成分Ａとして所定粒径（例えば４〜１０mmの粒径）の粒状体を使用している。尚、この第１実施例で使用される炭酸成分Ａの形状としては、粒状に代えて矩形板状等の適宜のものを採用できる。
【００６１】
そして、ボール体２１内に炭酸成分Ａを収納するには、図４に鎖線図示（符号２２′）するように半割り容器２２，２２を分離してその何れか一方の半割り容器２２′内に炭酸成分Ａを所定量収納した後、他方の半割り容器２２′をかぶせることでボール体２１内に所定量の炭酸成分Ａを収納できる。
【００６２】
ボール体２１の外周面（全周面）には、所定小径（例えば２〜４mm程度）の通水穴２４，２４・・が点在的に多数形成されている。
【００６３】
容器収容室１１は、ブラシ本体１の中央位置において上下に貫通する空所１２で構成されている。この空所１２は、横断面が円形で、上記ボール体２１の外形より僅かに大きい程度の内径を有している。又、該空所１２の下端部１３は、ボール体２１の外形より僅かに小さい内径となるように絞り込んでおり、図４に示すように容器収容室１１内に収容したボール体２１が該容器収容室１１の下方に抜け出さないようにしている。尚、容器収容室１１の下端部１３は、後述するようにボール体２１内で生成された炭酸水Ｗ2の放水口となるものである。
【００６４】
容器収容室１１（空所１２）の上部開口には、空所１２内にボール体２１を収容した状態で、該ボール体２１が上方に抜け出さないようにするための抜け止めリング１４が着脱自在に嵌挿（無理嵌め）されている。この抜け止めリング１４には、中央部にかなり大径（ボール体２１の外形よりやや小径）の穴１４ａが形成されているが、この穴１４ａは、容器収容室１内にシャワー水Ｗ1を注入するための注入口となるものである。尚、この抜け止めリング１４を図４の符号１４′で示すように容器収容室１１から抜き外すと、容器収容室１１内にその上部開口からボール体２１を出し入れできる。
【００６５】
ボール体２１を容器収容室１１内に収容した状態では、該ボール体２１の下部寄り部分（全体の約１／３の高さ範囲）が容器収容室１１の下端部（放水口）１３から下方に突出している。尚、この洗髪用ブラシの下面側を頭皮Ｔ（図４参照）に押付けると、ボール体２１の下面が頭皮Ｔに圧接して、該ボール体２１が容器収容室１１内で若干高さだけ上動し得るようになっている（放水口１３の内周面とボール体２１の外周面との間に放水用の隙間ができる）。
【００６６】
又、ボール体２１を容器収容室１１に収容した状態（ボール体２１の下部がブラシ本体１の下面より下方に突出している状態）では、ボール体２１の下方突出部分が頭髪・頭皮等にこすれることでボール体２１が容器収容室１１内で転動するようになっている。
【００６７】
この第１実施例の洗髪用ブラシは次のようにして使用される。
【００６８】
この洗髪用ブラシを使用するには、図４に示すようにボール体２１内に所定量の炭酸成分Ａを収容し、その炭酸成分入りボール体２１をブラシ本体１の容器収容室１１内に収容しておく。尚、炭酸成分入りボール体２１を容器収容室１１内にセットするには、抜け止めリング１４を符号１４′で示すように容器収容室１１から取外して容器収容室１１内からボール体２１を抜き出し、２つの半割り容器を符号２２′，２２′で示すように分離し、その一方の半割り容器２２′内に所定量の炭酸成分Ａを収納した後、両半割り容器２２′，２２′を合体させ、その炭酸成分入りボール体２１を容器収容室１１内に収容し、容器収容室１１の上部開口に抜け止めリング１４を嵌挿させればよい。
【００６９】
この第１実施例の洗髪用ブラシは、シャンプー時にも使用できるが、シャンプーによる洗浄時にはシャワー水を使用しない（ボール体２１内の炭酸成分Ａに水がかからない）ので、無駄に炭酸水が生成されない。
【００７０】
そして、シャンプー後にシャワー水Ｗ1で洗い流すが、ブラシ本体１の上面側からシャワー水Ｗ1をかけると、その水の一部が容器収容室１１内に入り、さらに符号Ｗ1（図４）で示すようにボール体２１の上面側にある各通水穴２４，２４・・から中空部２３内に侵入する。
【００７１】
すると、中空部２３内の炭酸成分Ａが濡らされることにより、該炭酸成分Ａから炭酸ガスを発生させ、その炭酸ガスが水に溶解することでボール体２１内で炭酸水が生成される。そして、ボール体２１内で生成された炭酸水は、符号Ｗ2（図４）で示すようにボール体２１の下面側にある各通水穴２４，２４・・からブラシ下方に流出し、該炭酸水Ｗ2が頭髪及び頭皮に接触する。従って、この洗髪用ブラシを使用した洗髪時（シャワー水使用時）には、炭酸水生成手段２で生成される炭酸水Ｗ2が頭髪及び頭皮Ｔに接触するので、洗髪と同時に炭酸水Ｗ2による美容効果や汚れ除去効果が期待できる。
【００７２】
又、この第１実施例の洗髪用ブラシでは、ボール体２１を容器収容室１１に収容した状態で該ボール体２１の一部がブラシ本体１の下面より下方に突出する状態で保持されており、この状態でブラシ下面を頭皮Ｔに擦り付けると、ボール体２１が容器収容室１１内で転動するようになる。このように、ボール体２１が容器収容室１１内で転動すると、ボール体２１内の炭酸成分Ａが撹拌されるので、該炭酸成分Ａに対する水の接触作用が促進され、それによって炭酸水生成効率がよくなるという効果がある。又、ボール体２１が頭皮に接触しながら転動するので、該ボール体２１による頭皮に対するマッサージ効果が期待できるという効果もある。
【００７３】
［図５〜図７の第２実施例］
図５〜図７に示す第２実施例の洗髪用ブラシも、上記第１実施例と同様に、略楕円形の外形を有したブラシ本体１の下面に多数のブラシ部１０を設けている一方、ブラシ本体１の上面側外周部分に取手（指掛け部）３を設けたものである。
【００７４】
この第２実施例の洗髪用ブラシでも、ブラシ本体１の上面側にシャワー水Ｗ1をかけることで炭酸水Ｗ2を生成し得るようにした炭酸水生成手段２を装備しているが、この第２実施例で用いられている炭酸水生成手段２は、次の構成を有している。
【００７５】
即ち、この第２実施例で用いられている炭酸水生成手段２は、ブラシ本体１内に水（シャワー水Ｗ1）と炭酸成分Ａとを収容し得るタンク部１５を設けて構成している。
【００７６】
このタンク部１５は、上部に開閉自在な蓋１６が被覆されているが、該蓋１６を開放することで、タンク部１５内に炭酸成分Ａを収容し得るようになっている。尚、この第２実施例では、炭酸成分Ａとして矩形板状のものを使用している。
【００７７】
タンク部１５の蓋１６には、複数箇所（左右に３箇所づつと中央部に１箇所の合計７箇所）に給水用開口１６ａが形成されていて、ブラシ本体１の上面にシャワー水Ｗ1をかけることで該シャワー水の一部（符号Ｗ1）が蓋１６の各給水用開口１６ａを通ってタンク部１５内に収容されるようになっている。従って、タンク部１５の底部に炭酸成分Ａを置いていると、該タンク部１５に水（シャワー水Ｗ1）が侵入する（貯留される）ことで該炭酸成分Ａが水で濡らされ、該炭酸成分Ａから炭酸ガスが発生することによりタンク部１５内で炭酸水Ｗ2が生成される。
【００７８】
蓋１６の上面には、図５に示すように、左右に位置する各３箇所づつの給水用開口１６ａ，１６ａ，１６ａの下側近傍位置をガードするように堰止め突壁１６ｂが設けられていて、蓋１６の上面を流下してくるシャワー水Ｗ1を各給水用開口１６ａからタンク部１５内に効率よく流入させ得るようにしている。
【００７９】
又、この第２実施例の洗髪用ブラシでは、タンク部１１５の底部に放水通路１７を設け、該放水通路１７部分に該放水通路１７を開閉する弁装置５を設けている。
【００８０】
この弁装置５は、放水通路１７の上端位置に設けた弁座５２を弁体５１で開閉するものであるが、弁体５１は軸５３に取付けられていて、該軸５３を上下動させることで弁体５１を開閉し得るようになっている。
【００８１】
弁体５１は、スプリング５４によって下方閉弁方向に付勢されていて、自然状態では図６に示すように弁体５１が閉弁状態を維持するようになっている。
【００８２】
又、この第２実施例の洗髪用ブラシには、ブラシ下面を頭皮Ｔに押付けることで弁装置５（弁体５１）を開弁させ得る開弁手段６を設けている。
【００８３】
この第２実施例で採用している開弁手段６は、放水通路１７内において上下動自在及び転動自在に収容された球体６１を使用している。尚、放水通路１７の下端部の内径（放水口１８となる）は、球体６１の外形より僅かに小径となるように絞り込んでおり、放水通路１７内に収容した球体６１が放水通路下端部（放水口１８）から脱落しないようにしている。
【００８４】
又、この球体６１は、その下部側の一部を放水通路１７の下端（放水口１８）から下方に突出させているとともに、該球体６１を弁装置５の軸５３を介してスプリング５４で下方に押付けている。
【００８５】
そして、この球体６１は、図７に示すように、ブラシ部１０を頭皮Ｔに接触させたときに球体下面が頭皮Ｔに押付けられることで、該球体６１が上動して弁装置５（弁体５１）を開弁させ得るように機能する。
【００８６】
又、この第２実施例では、図７に示すように球体６１を頭皮Ｔに押し当てた状態では、該球体６１がスプリング５４によって下方に付勢されていて、該球体６１の下面が頭皮Ｔに圧接している。そして、その状態で、球体６１を頭皮Ｔにこすり付けると該球体６１が転動しながら頭皮上を移動するので、頭皮Ｔに対するマッサージ機能が発生する。
【００８７】
図５〜図７に示す第２実施例の洗髪用ブラシは次のようにして使用される。
【００８８】
まず、ブラシ本体１のタンク部１５内に炭酸成分Ａを収容する必要があるが、該炭酸成分Ａをタンク部１５内に収容するには、蓋１６を開いてタンク部１５の底面上に炭酸成分Ａを置き、その後に蓋１６を被せるだけでよい。
【００８９】
そして、炭酸成分Ａ入りの洗髪用ブラシを実際に洗髪用として使用するには、図６に示すようにブラシ本体１の上面側からシャワー水Ｗ1をかける。すると、そのシャワー水Ｗ1の一部が蓋１６の各給水用開口１６ａからタンク部１５内に侵入し、その侵入水がタンク部１５内の炭酸成分Ａを濡らして炭酸水Ｗ2を生成する（炭酸成分Ａが水で濡れると炭酸ガスが発生し、その炭酸ガスが水に溶解して炭酸水Ｗ2となる）。
【００９０】
タンク部１５内に炭酸水Ｗ2が貯留された状態で（又はシャワー水Ｗ1をかけながら）、ブラシ下面を頭皮Ｔに押付けると、図７に示すように球体６１が上動して弁装置５（弁体５１）を開弁し、タンク部１５内の炭酸水Ｗ2が放水通路１７を通ってブラシ下方（頭皮Ｔ上）に放出される。
【００９１】
従って、洗髪時（シャワー水使用時）には、炭酸水生成手段２で生成される炭酸水Ｗ2が頭髪及び頭皮に接触するので、該炭酸水Ｗ2による美容効果や汚れ除去効果を期待できる。
【００９２】
又、この第２実施例の洗髪用ブラシでは、洗髪時において球体６１を頭皮Ｔに擦り付けると該球体６１が転動しながら頭皮上を移動するので、球体６１が弁装置５の開弁手段としての機能のほかに、頭皮Ｔに対してマッサージ効果を付与し得るという付加価値が発生する。
【符号の説明】
【００９３】
１はブラシ本体、２は炭酸水生成手段、５は弁装置、６は開弁手段、１０はブラシ部、１１は容器収容室、１２は空所、１３は放水口、１５はタンク部、１６は蓋、１６ａは給水用開口、１７は放水通路、１８は放水口、２１は炭酸成分収納容器（ボール体）、２２は半割り容器、２３は中空部、２４は通水穴、５１は弁体、Ａは炭酸成分、Ｗ1はシャワー水、Ｗ2は炭酸水である。
【図１】
2013180029.tif 000003
【図２】
2013180029.tif 000004
【図３】
2013180029.tif 000005
【図４】
2013180029.tif 000006
【図５】
2013180029.tif 000007
【図６】
2013180029.tif 000008
【図７】
2013180029.tif 000009